(57)【要約】【課題】容易に取り外すことが可能なネジキャップ構造を提供する。【解決手段】キャップ１の第１の係合部４１が装着段部２の第１の被係合部３１に係合し、キャップ１の第２の係合部４２が装着段部２の第２の被係合部３２に係合することで、装着段部２にキャップ１が取り付けられ、この状態で、キャップ１の水平板部１１の上面を押下することで、装着段部２の支点部３３を支点としてキャップ１が回動し、第１の係合部４１と第１の被係合部３１との係合および第２の係合部４２と第２の被係合部３２との係合が解除されて、キャップ１が装着段部２から取り外れるようになっている。【選択図】  図１
2015230032.tif 000002
【特許請求の範囲】
【請求項１】
ネジをキャップでカバーするネジキャップ構造であって、
前記ネジが挿入される対象体の端縁に、断面がＬ字状に窪んだ装着段部が設けられ、前記装着段部の水平部に設けられ前記ネジを挿入するための挿入孔と、前記装着段部の水平部の端縁に設けられた第１の被係合部と、前記装着段部の垂直部の上部に設けられた第２の被係合部と、前記装着段部の水平部に設けられ上方に延びる支点部と、を有し、
前記キャップは、断面がＬ字状で、垂直板部の端縁に設けられ前記第１の被係合部に係合する第１の係合部と、水平板部の端縁に設けられ前記第２の被係合部に係合する第２の係合部と、を有し、
前記第１の係合部が前記第１の被係合部に係合し前記第２の係合部が前記第２の被係合部に係合することで、前記装着段部に前記キャップが取り付けられ、この状態で、前記キャップの水平板部の上面を押下することで、前記支点部を支点として前記キャップが回動し、前記第１の係合部と前記第１の被係合部との係合および前記第２の係合部と前記第２の被係合部との係合が解除されて、前記キャップが前記装着段部から取り外れる、
ことを特徴とするネジキャップ構造。
【請求項２】
所定の押下力以上でないと前記係合が解除されないように、前記支点部が設けられている、
ことを特徴とする請求項１に記載のネジキャップ構造。
【発明の詳細な説明】
【技術分野】
【０００１】
本発明は、ネジの頭部をキャップでカバーするネジキャップ構造に関する。
【背景技術】
【０００２】
例えば、レーダ指示器のフロントパネルは、指示器本体に対してネジ止めされ、各ネジの頭部はキャップでカバーされている。このキャップは、例えば、フロントパネルに形成された凹部に嵌め込まれて着脱自在となっている。
【０００３】
また、キャップをネジと共締めして、キャップでネジの頭部をカバーする技術が知られている（例えば、特許文献１）。この技術は、共締め部とキャップとが連結され、装置筐体に凹部が形成され、この凹部にネジ穴が形成されている。そして、ネジをネジ穴に締め付ける際に共締め部を共締めし、キャップを凹部に嵌合させることでネジの頭部をカバーするものである。
【先行技術文献】
【特許文献】
【０００４】
【特許文献１】特開平０７−１８０７１７号公報
【発明の概要】
【発明が解決しようとする課題】
【０００５】
ところで、フロントパネルの凹部にキャップが嵌め込まれた状態では、キャップを手で取り外すことが困難で、手間と時間を要する場合がある。また、特許文献１の技術においても、キャップが凹部に嵌合されているためキャップの取り外しが困難で、しかも、キャップを共締めした状態でネジを締め付けたり緩めたりするため、ネジの位置や作業環境などによっては、キャップが邪魔になって作業がしづらい場合がある。
【０００６】
そこで本発明は、容易に取り外すことが可能なネジキャップ構造を提供することを目的とする。
【課題を解決するための手段】
【０００７】
上記課題を解決するために、請求項１に記載の発明は、ネジをキャップでカバーするネジキャップ構造であって、前記ネジが挿入される対象体の端縁に、断面がＬ字状に窪んだ装着段部が設けられ、前記装着段部の水平部に設けられ前記ネジを挿入するための挿入孔と、前記装着段部の水平部の端縁に設けられた第１の被係合部と、前記装着段部の垂直部の上部に設けられた第２の被係合部と、前記装着段部の水平部に設けられ上方に延びる支点部と、を有し、前記キャップは、断面がＬ字状で、垂直板部の端縁に設けられ前記第１の被係合部に係合する第１の係合部と、水平板部の端縁に設けられ前記第２の被係合部に係合する第２の係合部と、を有し、前記第１の係合部が前記第１の被係合部に係合し前記第２の係合部が前記第２の被係合部に係合することで、前記装着段部に前記キャップが取り付けられ、この状態で、前記キャップの水平板部の上面を押下することで、前記支点部を支点として前記キャップが回動し、前記第１の係合部と前記第１の被係合部との係合および前記第２の係合部と前記第２の被係合部との係合が解除されて、前記キャップが前記装着段部から取り外れる、ことを特徴とする。
【０００８】
請求項２に記載の発明は、請求項１に記載のネジキャップ構造において、所定の押下力以上でないと前記係合が解除されないように、前記支点部が設けられている、ことを特徴とする。
【発明の効果】
【０００９】
請求項１の発明によれば、キャップの水平板部の上面を押下すると、支点部を支点としてキャップが回動し、第１の係合部と第１の被係合部との係合および第２の係合部と第２の被係合部との係合が解除されて、キャップが装着段部から取り外れる。つまり、キャップを上から押すだけで、容易にキャップを取り外すことができる。また、対象体からキャップを完全に取り除けるため、ネジを締め付けたり緩めたりする際に、キャップが邪魔にならず作業がしやすい。
【００１０】
請求項２の発明によれば、所定の押下力以上でないと係合が解除されないように、支点部が設けられている。つまり、所定の力以上でキャップを上から押さないと、キャップが取り外れないようになっているため、キャップが不用意に外れるのを防止し、かつ、所望・所定の力でキャップを容易に取り外せるようにすることができる。しかも、支点部のみによって押下力が設定・調整されるため、構成が簡易で、しかも、押下力を容易に設定することが可能となる。
【図面の簡単な説明】
【００１１】
【図１】この発明の実施の形態に係るネジキャップ構造を含むフロントパネルを示す斜視図である。
【図２】図１のネジキャップ構造の装着段部を示す斜視図である。
【図３】図１のフロントパネルの平面図（ａ）と正面図（ｂ）である。
【図４】図３のＡ−Ａ断面図である。
【図５】図１のネジキャップ構造のキャップを示す平面図（ａ）と、正面図（ｂ）と、（ａ）の左側面図（ｃ）と、（ａ）の右側面図（ｄ）と、（ａ）の背面図（ｅ）と、（ｅ）の上面図（ｆ）と、（ａ）のＢ−Ｂ断面図（ｇ）である。
【図６】図２の装着段部に図５のキャップが取り付けられた状態を示す斜視図である。
【発明を実施するための形態】
【００１２】
以下、この発明を図示の実施の形態に基づいて説明する。
【００１３】
図１〜図６は、この発明の実施の形態を示し、図１は、この実施の形態に係るネジキャップ構造を含むフロントパネル１０を示す斜視図である。このネジキャップ構造は、ネジ１０１をキャップ１でカバーする構造であり、この実施の形態では、ネジ１０１が挿入される対象体が、レーダ指示器のフロントパネル１０であり、このフロントパネル１０がネジ１０１によって指示器本体（図示せず）に取り付けられる場合について、主として説明する。
【００１４】
フロントパネル１０は、図３に示すように、平面形状が略長方形のパネルで、長手方向の一方の端の両角の端縁に、断面がＬ字状に窪んだ装着段部２が形成されている。この装着段部２は、図２に示すように、フロントパネル１０の角部を切り欠くようにして形成され、平面形状が略四角形で、断面形状がＬ字状となっている。
【００１５】
装着段部２の水平部２１の中央には、ネジ１０１を挿入するための挿入孔２２が形成され、この挿入孔２２の外径は、ネジ１０１のネジ径よりもやや大きく設定されている。
【００１６】
装着段部２の水平部２１の端縁には、第１の被係合部３１が設けられ、装着段部２の垂直部２３の上部には、第２の被係合部３２が設けられている。すなわち、装着段部２の水平部２１の反垂直部２３側の角部（開放されている角部）の端縁に、第１の被係合部３１が形成されている。この第１の被係合部３１は、当該角部の下面側を窪めて切り欠くようにして形成されている。
【００１７】
また、水平部２１の垂直部２３側の角部には、通し孔２４が形成され、図４に示すように、この通し孔２４の下面側が当該角部よりも大きいことで、垂直部２３の角部の上部に、窪んだ第２の被係合部３２が形成されている。つまり、垂直部２３の角部の下部が切り欠かれるようにして、第２の被係合部３２が形成されている。
【００１８】
さらに、装着段部２の水平部２１には、上方に延びる支点部３３が形成されている。この支点部３３は、図３に示すように、平面形状が挿入孔２２を中心とするような円弧状で、水平部２１の反垂直部２３側の角部周辺に形成されている。また、支点部３３の高さは、後述するようにしてキャップ１が装着された状態で、キャップ１の当接突起４３に支点部３３の上端が接するように設定されている。このような第１の被係合部３１と第２の被係合部３２と支点部３３の位置関係等については、後述する。
【００１９】
キャップ１は、図５に示すように、装着段部２と同様に、平面形状が略四角形で、断面形状がＬ字状となっている。すなわち、水平板部１１は、装着段部２の水平部２１と同等形状で、水平板部１１の端縁から下方に延びる垂直板部１２が、二辺にまたがって設けられている。つまり、垂直板部１２の平面形状は、略Ｌ字形となっている。
【００２０】
垂直板部１２の端縁には、第１の被係合部３１に係合する第１の係合部４１が設けられ、水平板部１１の端縁には、第２の被係合部３２に係合する第２の係合部４２が設けられている。すなわち、垂直板部１２の角部の下端縁から、内側（水平板部１１側）に突出するようにして第１の係合部４１が形成され、この第１の係合部４１の形状は、第１の被係合部３１に係合するように設定されている。
【００２１】
また、水平板部１１の反垂直板部１２側の角部の下面に、平面形状が略四角形の係合部４０が形成され、この係合部４０の一部が水平板部１１の角部の端縁から突出することで、第２の係合部４２が形成されている。この第２の係合部４２の形状は、第２の被係合部３２に係合するように設定されている。
【００２２】
さらに、水平板部１１の下面には、下方に突出した当接突起４３が形成されている。この当接突起４３は、平面形状が円弧状で、その円弧径は支点部３３の円弧径と同径で、装着段部２にキャップ１が装着された状態で、支点部３３と接する位置に形成されている。ここで、当接突起４３を２分割して形成しているが、一体で形成してもよい。
【００２３】
このような係合部４１、４２と上記の被係合部３１、３２および支点部３３とは、次のような作用を呈するように、位置関係等が設定されている。
【００２４】
すなわち、まず、第１の係合部４１が第１の被係合部３１に係合し、第２の係合部４２が第２の被係合部３２に係合することで、装着段部２にキャップ１が取り付けられるようになっている。具体的には、第２の係合部４２を第２の被係合部３２に挿入した状態で、第１の係合部４１を第１の被係合部３１に押し込むことで、第２の係合部４２が第２の被係合部３２に係合すると同時に第１の係合部４１が第１の被係合部３１に係合し、キャップ１が装着段部２に装着される。ここで、第１の係合部４１が第１の被係合部３１に係合した際に、「カチャ」という係合音が発せられるように、第１の係合部４１と第１の被係合部３１とが形成されている。
【００２５】
このような装着状態では、キャップ１によって装着段部２が塞がれて、フロントパネル１０の角部が形成される。つまり、キャップ１の表面が、フロントパネル１０の表面と面一になる。
【００２６】
このような状態から、キャップ１の水平板部１１の上面を押下することで、支点部３３を支点としてキャップ１が回動し、第１の係合部４１と第１の被係合部３１との係合および第２の係合部４２と第２の被係合部３２との係合が解除されて、キャップ１が装着段部２から取り外れるようになっている。具体的には、図６に示すように、キャップ１の上面の第２の被係合部４２側を矢印Ｄ１方向に指で押すと、支点部３３を支点として、キャップ１の第１の係合部４１側が矢印Ｄ２方向に上がって、第２の係合部４２側が矢印Ｄ３方向に下がる。これにより、第１の係合部４１が第１の被係合部３１から外れ、第２の係合部４２が第２の被係合部３２から外れて、キャップ１が装着段部２から取り外れるものである。
【００２７】
また、所定の押下力以上でないと上記の係合が解除されないように、支点部３３が設けられている。すなわち、キャップ１の水平板部１１の上面を押した際に、所定の力以上でないとキャップ１が回動しないように、支点部３３の形状および位置が設定されている。例えば、支点部３３を第２の被係合部３２側に位置させた場合、係合を解除するには大きな押下力を要するのに対して、支点部３３を第１の被係合部３１側に位置させた場合には、小さな押下力で済む。また、支点部３３の円弧が長い場合、係合を解除するには大きな押下力を要するのに対して、支点部３３の円弧が短い場合には、小さな押下力で済む。具体的には、この実施の形態では、支点部３３の位置を第１の被係合部３１側に固定し、支点部３３の円弧の長さが調整されて、所定の押下力以上でないと、第１の係合部４１と第１の被係合部３１との係合および第２の係合部４２と第２の被係合部３２との係合が解除されないようになっている。
【００２８】
このような構成のネジキャップ構造によれば、キャップ１の水平板部１１の上面を押下すると、支点部３３を支点としてキャップ１が回動し、第１の係合部４１と第１の被係合部３１との係合および第２の係合部４２と第２の被係合部３２との係合が解除されて、キャップ１が装着段部２から取り外れる。つまり、キャップ１を上から押すだけで、容易にキャップ１を取り外すことができる。また、フロントパネル１０からキャップ１を完全に取り除けるため、ネジ１０１を締め付けたり緩めたりする際に、キャップ１が邪魔にならず作業がしやすい。一方、第２の係合部４２を第２の被係合部３２に挿入して、第１の係合部４１を第１の被係合部３１に押し込むだけで、容易かつ確実にキャップ１を装着段部２に取り付けることができる。
【００２９】
また、所定の押下力以上でキャップ１を押さないと、第１の係合部４１と第１の被係合部３１との係合および第２の係合部４２と第２の被係合部３２との係合が解除されないように、支点部３３が設けられている。つまり、所定の力以上でキャップ１を上から押さないと、キャップ１が取り外れないようになっているため、キャップ１が不用意に外れるのを防止し、かつ、所望・所定の力でキャップ１を容易に取り外せるようにすることができる。しかも、係合力自体を調整するのではなく、支点部３３のみによって押下力が設定・調整されるため、構成が簡易で、しかも、押下力を容易に設定することが可能となる。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、フロントパネル１０の角部に装着段部２を形成しているが、フロントパネル１０の直線状の端縁に装着段部を設けてもよく、この場合、キャップの垂直板部の平面形状も直線状となる。また、１つのキャップ１で１つのネジ１０１をカバーする場合について説明したが、１つのキャップで複数のネジ１０１をカバーするようにしてもよい。さらに、支点部３３は、円弧状でなくてもよく、また、フロントパネル１０以外の対象体にも適用できることは勿論である。
【符号の説明】
【００３１】
１        キャップ
１１      水平板部
１２      垂直板部
４１      第１の係合部
４２      第２の係合部
４３      当接突起
２        装着段部
２１      水平部
２２      挿入孔
２３      垂直部
２４      通し孔
３１      第１の被係合部
３２      第２の被係合部
３３      支点部
１０      フロントパネル（対象体）
１０１    ネジ
【図１】
2015230032.tif 000003
【図２】
2015230032.tif 000004
【図３】
2015230032.tif 000005
【図４】
2015230032.tif 000006
【図５】
2015230032.tif 000007
【図６】
2015230032.tif 000008